(57)【要約】【課題】ボルト台座に物品支持用のボルトが立設された物品支持脚であって、従来の同タイプの物品支持脚に設けられているようなボルト台座直上のボルト回し具係合部位に頼らなくてもボルト回し具によるボルト回し作業を行うことができ、被支持物品の構造、大きさ、物品支持脚を取り付ける部位等の状況によってはそれだけ使い易い物品支持脚を提供する。【解決手段】ボルト台座１に物品支持用のボルト２が立設された物品支持脚Ａであり、ボルト上端部にボルト回し具係合部３が、ボルト下端部にボルト回し具係合部４が形成されている。【選択図】    図１
2006046475.tif 000002
【特許請求の範囲】
【請求項１】
下端が開口した中空部を有するボルト台座にボルトがその下端部を該中空部へ突入させた状態で回転可能且つ抜け止め状態に立設され、該ボルトを被支持物品のボルト螺合部位に螺合させる一方、該ボルト台座を物品支持基体上に設置することで該物品を該物品支持基体上に支持する物品支持脚であって、該ボルトの上端部及び該ボルトのボルト台座中空部へ突入した下端部のうち少なくとも一方にボルト回し具係合部が形成されていることを特徴とする物品支持脚。
【請求項２】
前記ボルトの上端部に前記ボルト回し具係合部が形成されており、該ボルト上端部に形成されたボルト回し具係合部は、該ボルトの上端面に形成された穴と、該ボルト上端面穴に嵌着された後付け部材とを含んでおり、該後付け部材は上部及びこれに連設された下部を有し、該上部がボルト回し具を係合させ得るように形成されており、該下部が該ボルト上端面の穴に圧入嵌着されている請求項１記載の物品支持脚。
【請求項３】
前記後付け部材の上部は上端面にプラスドライバ及び（又は）マイナスドライバを係合させるドライバ係合溝を有している請求項２記載の物品支持脚。
【請求項４】
前記後付け部材の上部は上端面に６角レンチ係合穴を有している請求項２記載の物品支持脚。
【請求項５】
前記前記後付け部材の上部は断面多角形状に形成されている請求項２、３又は４記載の物品支持脚。
【請求項６】
前記ボルトの下端部に前記ボルト回し具係合部が形成されており、該ボルト下端部に形成されたボルト回し具係合部は、該ボルト下端面に形成されたプラスドライバ及び（又は）マイナスドライバを係合させるドライバ係合溝を含んでいる請求項１から５のいずれかに記載の物品支持脚。
【請求項７】
前記ボルトの下端部に前記ボルト回し具係合部が形成されており、該ボルト下端部に形成されたボルト回し具係合部は、該ボルト下端面に形成された６角レンチ係合穴を含んでいる請求項１から５のいずれかに記載の物品支持脚。
【請求項８】
前記ボルトの下端部に前記ボルト回し具係合部が形成されており、前記ボルト下端部に抜け止め部材が嵌着されることで該ボルトが前記ボルト台座から抜け止め状態におかれており、該抜け止め部材は断面輪郭多角形に形成されており、前記ボルト下端部のボルト回し具係合部は該断面輪郭多角形に形成された抜け止め部材を含んでいる請求項２から７のいずれかに記載の物品支持脚。
【発明の詳細な説明】
【技術分野】
【０００１】
本発明は工作機械、コンベア、各種試験機等の各種機械、本、書類等を収納するロッカーや棚類等の各種家具、各種ディスプレイ装置、テレビ、オーディオ装置等の各種電気電子機器などの物品を支持する物品支持脚、特に、ボルト台座にボルトが立設され、該ボルトを被支持物品のボルト螺合部位に螺合させる一方、該台座を物品支持基体（物品設置床、物品設置台等）上に設置することで該物品を該物品支持基体上に支持する物品支持脚に関する。
【背景技術】
【０００２】
ボルト台座にボルトが立設され、該ボルトを被支持物品のボルト螺合部位に螺合させる一方、該台座を物品支持基体上に設置することで該物品を該物品支持基体上に支持するタイプの物品支持脚は、例えば特開平７−２４３４２０号公報、特開平９−８９１９１号公報等に開示されている。
【０００３】
このタイプの物品支持脚におけるボルトは、通常、ボルト台座の直上でボルトに設けられたボルト回し具係合部位を有している。その例を図１２に示す。図１２に示す物品支持脚Ａ’は、下端が開口した中空部１０’を有するボルト台座１’にボルト２’を立設したものである。ボルト下端部２３’がボルト台座中空部１０’へ突入しており、該ボルト下端部２３’に抜け止め部材２４’が嵌められているとともに、ボルト台座１’の直ぐ上には、図示例ではスパナ、モンキー等のボルト回し具を係合できる断面６角形の部位２２’が設けられており、且つ、該部位２２’はボルト台座１’に座っている。
【０００４】
かかる物品支持脚Ａ’によると、ボルト２’のボルト回し具係合部位２２’に図示省略の回し具を係合させて該ボルト２’を回し、それにより該ボルトを被支持物品Ｗ’のボルト螺合部位（雌ねじ部）ｆｓ’に螺合させる一方、ボルト台座１’を物品支持基体（例えば物品設置床Ｆ’）に設置することで、物品Ｗ’を物品支持基体上に支持、設置できる。また、ボルト回し具係合部位２２’をボルト回し具でまわすことで、ボルト２’を物品のボルト螺合部位ｆｓに対し進入、退出調整して物品支持基体からの物品Ｗ’の高さ位置を調整できる。
【０００５】
【特許文献１】特開平７−２４３４２０号公報
【特許文献２】特開平９−８９１９１号公報
【発明の開示】
【発明が解決しようとする課題】
【０００６】
かかる物品支持脚Ａ’によると、ボルト２’を回すための回し具係合部位はボルト台座１’直上の部位２２’だけである。
しかし実際の物品支持脚の使用においては、かかるボルト台座１’直上のボルト回し具係合部位２２’にボルト回し具を係合させてボルト２’を回すことが、物品の構造、大きさ、物品の物品支持脚取り付け部位の位置、物品の設置場所、物品の空間における位置等からして困難であったり、煩わしかったりすることがある。
【０００７】
そこで本発明は、ボルト台座にボルトが立設され、該ボルトを被支持物品のボルト螺合部位に螺合させる一方、該ボルト台座を物品支持基体（物品設置床等）上に設置することで該物品を該物品支持基体上に支持する物品支持脚であって、従来の同タイプの物品支持脚に設けられているようなボルト台座直上のボルト回し具係合部位に頼らなくてもボルト回し具によるボルト回し作業を行うことができ、被支持物品の構造、大きさ、物品支持脚を取り付ける部位等の状況によってはそれだけ使い易い物品支持脚を提供することを課題とする。
【課題を解決するための手段】
【０００８】
前記課題を解決するため本発明は、下端が開口した中空部を有するボルト台座にボルトがその下端部を該中空部へ突入させた状態で回転可能且つ抜け止め状態に立設され、該ボルトを被支持物品のボルト螺合部位に螺合させる一方、該ボルト台座を物品支持基体上に設置することで該物品を該物品支持基体上に支持する物品支持脚であって、該ボルトの上端部及び該ボルトのボルト台座中空部へ突入した下端部のうち少なくとも一方にボルト回し具係合部が形成されている物品支持脚を提供する。
【０００９】
本発明に係る物品支持脚におけるボルトは従来の物品支持脚におけるボルトのようにボルト台座の直ぐ上側に位置するボルト回し具係合部位を備えていてもよい。
しかし、本発明に係る物品支持脚では、かかるボルト回し具係合部位を利用してのボルト回し作業が、物品の構造、大きさ、物品の物品支持脚取り付け部位の位置、物品の設置場所、物品の空間における位置等からして困難であったり、煩わしかったりする場合でも、ボルトの上端部及びボルトの下端部のうち少なくとも一方に形成されたボルト回し具係合部を利用してボルト回し具によるボルト回し作業を行うことができ、それだけ使い易い。
【００１０】
例えば、ボルト上端部にボルト回し具係合部を形成する場合においては、物品支持脚が被支持物品に取り付けられて物品支持基体（物品設置床等）に設置されている状態で該被支持物品の物品支持基体からの高さを調整すべくボルトを回そうとするときに、該ボルト上端部に形成されたボルト回し具係合部へのボルト回し具の係合が容易であるならば、該ボルト上端部に形成されたボルト回し具係合部に、それに適合するボルト回し具を係合させて容易にボルトを回し操作することができる。
【００１１】
また、ボルト下端部にボルト回し具係合部を形成する場合においては、例えば、物品製造工場で物品がコンベア等により吊り下げられている状態で該物品に物品支持脚を取り付けようとするすとき、該ボルト下端部に形成されたボルト回し具係合部に、それに適合するボルト回し具を係合させてボルトを回し、該ボルトを、吊り下げられている物品のボルト螺合部位に下方から螺合させることで、該物品に物品支持脚を容易に取り付けることができる。
【００１２】
ここでボルト回し具とは、ボルト回し具係合部の形態等に応じて、該係合部に適合し得るスパナ、モンキー、ボックスレンチ、６角レンチ等である。
なお、ボルト上端部に形成されるボルト回し具係合部は、ボルトを被支持物品のボルト螺合部位に螺合させるについて支障のないように形成すればよい。
【００１３】
本発明に係る物品支持脚は、ボルト上端部にボルト回し具係合部を形成する場合、該ボルト回し具係合部として、該ボルトの上端面に形成された穴と、該ボルト上端面穴に嵌着された後付け部材とを含んでいるものを例示できる。
この場合、該後付け部材として、上部及びこれに連設された下部を有し、該上部がボルト回し具を係合させ得るように形成されており、該下部が該ボルト上端面の穴に圧入嵌着されているものを例示できる。
【００１４】
かかる後付け部材の上部の例として、上端面にプラスドライバ及び（又は）マイナスドライバを係合させるドライバ係合溝を有しているもの、上端面に６角レンチ係合穴を有しているものを挙げることができる。
【００１５】
また、かかるドライバ係合溝や６角レンチ係合穴を有している場合、有していない場合のいずれの場合でも、後付け部材の上部は断面多角形状（例えば６角形）に形成して、これにスパナ、モンキー、ボックスレンチ等の回し具を係合できるようにしてもよい。
【００１６】
また、本発明に係る物品支持脚は、ボルト下端部にボルト回し具係合部を形成する場合、該ボルト回し具係合部として、例えば、ボルト下端面に形成されたプラスドライバ及び（又は）マイナスドライバを係合させるドライバ係合溝を含んでいるものや、ボルト下端面に形成された６角レンチ係合穴を含んでいるものを挙げることができる。
【００１７】
また、かかるドライバ係合溝や６角レンチ係合穴を有している場合、有していない場合のいずれの場合でも、前記ボルト下端部に抜け止め部材を嵌着することで該ボルトを前記ボルト台座から抜け止め状態におくことができ、その場合に、該抜け止め部材は断面輪郭多角形に形成してスパナ、モンキー等の回し具を係合可能とし、ボルト下端部のボルト回し具係合部は該断面輪郭多角形に形成された抜け止め部材を含むものとしてもよい。
【発明の効果】
【００１８】
以上説明したように本発明によると、ボルト台座にボルトが立設され、該ボルトを被支持物品のボルト螺合部位に螺合させる一方、該ボルト台座を物品支持基体（物品設置床等）上に設置することで該物品を該物品支持基体上に支持する物品支持脚であって、従来の同タイプの物品支持脚に設けられているようなボルト台座直上のボルト回し具係合部位に頼らなくてもボルト回し具によるボルト回し作業を行うことができ、被支持物品の構造、大きさ、物品支持脚を取り付ける部位等の状況によってはそれだけ使い易い物品支持脚を提供することができる
【発明を実施するための最良の形態】
【００１９】
以下、本発明の実施の形態を図面を参照して説明する。
図１は本発明に係る物品支持脚の１例Ａの断面図である。図２は物品支持脚Ａの平面図、図３は物品支持脚Ａの底面図である。
【００２０】
この物品支持脚Ａは、ボルト台座１に物品支持用のボルト２を立設したものである。ボルト台座１は、頂板部１１とその周縁から下方へ延びる基台スカート部１２とを有している。図２に示すように、頂板部１１及び基台スカート部１２はいずれも、平面から見ると円形を呈しており、基台スカート部１２は裾広がりに形成されている。かくしてボルト台座１は下端が開口した中空部１０を有している。頂板部１１はその中央部にボルト通し孔１１１を有している。
【００２１】
ボルト２は、雄ねじ部２１、その下端に一体的に連設された断面形状６角形のボルト回し具係合部位２２、該部位２２から一体的に延びるボルト下端部２３を含んでいる。部位２２がボルト台座頂板部１１に座る状態で該ボルト下端部２３が頂板部ボルト通し孔１１１に挿通され、ボルト台座中空部１０へ突入している。
【００２２】
該ボルト下端部には抜け止め部材２４が嵌着されている。抜け止め部材２４は雌ねじを有しており、該雌ねじが圧潰されるようにボルト下端部２３に圧入嵌着されている。
【００２３】
ボルト２の上端部にはボルト回し具係合部３が形成されている。該係合部３はボルト１の上端面に形成した穴３１とこれに嵌着される後付け部材３２とからなっている。
図４は後付け部材３１を取り付ける前の物品支持脚Ａの、ボルト２を一部省略して示す図であり、図５は該支持脚Ａの平面図である。図４、図５にボルト２上端面に形成された円形穴３１が示されている。
【００２４】
図６はボルト２に取り付ける前の後付け部材３２を示しており、図６（Ａ）はその側面図、図６（Ｂ）はその平面図、図６（Ｃ）はその底面図である。
図６に示すように、後付け部材３２は上部３２１とこれに一体の下部３２２からなっており、上部、下部共に断面正方形状に形成されており、上部には図示省略のスパナやモンキー等の回し具を係合させることができる。また、上部３２１の上端面には、プラスドライバＤ（図８参照）を係合させるドライバ係合溝３２１ｄが形成されている。
【００２５】
下部３２２がボルト２上端面の円形穴３１に圧入嵌着されることで後付け部材３２全体がボルト２に取り付けられ、ボルト上端部のボルト回し具係合部３が形成されている。
図２に示すように、後付け部材３２の平面輪郭はボルト２の平面輪郭（断面積）内にあり、ボルト２を後述する被支持物品Ｗのボルト螺合部位（雌ねじ部）ｆｓに螺合させるにつき支障のないものである。
【００２６】
前記ボルト下端部２３にもボルト回し具係合部４が形成されている。該係合部４は、該ボルト下端部に圧入嵌着された抜け止め部材２４を含んでいる。抜け止め部材２４は断面６角形状に形成されており、スパナ、ボックスレンチ等をこれに係合してボルト２を回し操作することができる。
また、ボルト回し具係合部４は、図３に示すように、ボルト下端部２３の下端面２３１に形成された、プラスエアドライバＡＤ（図７参照）を係合させるドライバ係合溝２３１を含んでいる。
【００２７】
この物品支持脚Ａは、例えば図７、図８に示すように用いることができる。
すなわち、図７に示すように、例えば物品製造ラインに沿って図示省略のコンベア等により吊り下げられて搬送されてくる被支持物品Ｗのボルト螺合部位ｆｓに対向させてボルト２を配置するとともに、エアドライバＡＤをボルト下端部下面のドライバ係合溝２３１に係合させ、該エアドライバＡＤを空気圧駆動にて回転させることでボルト２を回転させ、該ボルト２をボルト螺合部位ｆｓに螺合させることで、簡単、容易に物品支持脚Ａを物品Ｗに取り付けることができる。
【００２８】
この取り付け作業においては、ボルト２におけるボルト回し具係合部位２２にスパナ、モンキー等の回し具を係合させてボルト２を回し操作することも可能であるが、吊り下げ搬送されてくる物品Ｗについてそのようなボルト回し操作を行うことは困難である。この点、ボルト下端部のドライバ係合溝２３１を利用して下方から簡単、容易にボルト２を回し操作することができる。
なお、抜け止め部材２４にスパナ等を係合させてボルトを回し操作することも可能である。
【００２９】
このようにして物品支持脚Ａが取り付けられた物品Ｗは、図８に示すように、所定の物品支持基体（図示例では所定の物品設置床Ｆ）に該脚Ａを介して設置されるのであるが、そのとき、床Ｆからの物品Ｗの高さ（さらに言えば、脚Ａを取り付けた物品部位の高さ）を調整するためにボルト２を回し操作するとき、プラスドライバＤをボルト上端部に形成されたボルト回し具係合部３の後付け部材３２のドラバ係合溝３２１ｄに係合させて上方から簡単、容易に回し操作することができる。
【００３０】
このとき、ボルト２におけるボルト回し具係合部位２２にスパナ、モンキー等の回し具を係合させてボルト２を回し操作することも可能であるが、多くの場合、その作業は作業者がしゃがみ込んで行わなければならず、その作業は困難であり、煩わしい。この点、ボルト上端部のドライバ係合溝３２１ｄを利用して上方から簡単、容易にボルト２を回し操作することができる。
なお、後付け部材３２の上部３２１にスパナ、モンキー、ボックスレンチ等を係合させてボルトを回し操作することも可能である。
【００３１】
物品支持脚Ａにおけるボルト２のボルト径が少しぐらい変更されても、支障が無ければ、ボルト上端面の穴３１の径や該穴に嵌着される後付け部材３２は同じものを採用してもよく、そうすることで、ボルト上端部にボルト回し具係合部３を有するにも拘らずそれだけ安価に物品支持脚を提供できる利点もある。
【００３２】
ボルト２の上端面に直接、ドライバ係合溝や６角レンチ係合穴等を形成することも考えられるが、その形成作業は困難であるところ、ここでは、ボルト上端面には加工、形成が簡単、容易な形態の穴を設け、これに後付け部材を嵌着するようにしているので、ボルト上端部のボルト回し具係合部３をそれだけ簡単、容易に形成できる。
【００３３】
また、ボルト下端部のボルト回し具係合部４についても、係合部３におけると同様の後付け部材を利用して形成できるが、後付け部材がボルト台座１から突出しないようにボルト台座１を大形に形成しなければならないので、ここでは、係合部４については、ボルト下端面に直接ドライバ係合溝等を形成したり、ボルト抜け止め部材を回し具の係合が可能な形態としたりしている。
【００３４】
ボルト上端部のボルト回し具係合部３における後付け部材は前記のものに限定されない。例えば図９に示すようなものでもよい。図９（Ａ）は後付け部材の他の例３２’の側面図であり、図９（Ｂ）は同部材３２’の平面図であり、図９（Ｃ）は同部材３２’の底面図である。
【００３５】
図９に示すように、後付け部材３２’ではその上部３２１’が断面６角形に形成されている。下部３２２’は後付け部材３２と同様に断面正方形に形成されている。また、上部上端面には、ドライバ係合溝に代えて６角レンチを係合できる６角レンチ係合穴３２１ｄ’が形成されている。
【００３６】
ボルト下端部のボルト回し具係合部４についても、前記のものに限定されない、例えば図１０に示すようにボルト下端部２３の下面にドライバ係合溝に代えて６角レンチ係合穴２３１’を形成してもよい。また、例えば図１１に示すように、ボルト抜け止め部材２４に代えて、ボルト下端部に取り外し可能に嵌めることができるＣ形弾性留め輪やＥ形弾性留め輪２５を採用することも可能である。図１０、図１１はかかる物品支持脚Ｂ、Ｃの底面図である。
【産業上の利用可能性】
【００３７】
本発明に係る物品支持脚は、各種物品の支持に用いることができ、従来の同タイプの物品支持脚に設けられているようなボルト台座直上のボルト回し具係合部位に頼らなくてもボルト回し具によるボルト回し作業を行えることが望ましい状況下で有利に使用できる。
【図面の簡単な説明】
【００３８】
【図１】本発明に係る物品支持脚の１例の断面図である。
【図２】図１に示す物品支持脚の平面図である。
【図３】図１に示す物品支持脚の底面図である。
【図４】後付け部材を取り付ける前の物品支持脚の、ボルトを一部省略して示す図である。
【図５】図４に示す支持脚の平面図である。
【図６】ボルトに取り付ける前の後付け部材を示す図であり、図６（Ａ）はその側面図、図６（Ｂ）はその平面図、図６（Ｃ）はその底面図である。
【図７】図１に示す物品支持脚を被支持物品に取り付ける様子を示す図である。
【図８】物品支持脚により支持された被支持物品の物品支持基体（物品設置床）からの高さを調整する様子を示す図である。
【図９】ボルト上端部のボルト回し具係合部における後付け部材の他の例を示す図であり、図９（Ａ）は該部材の側面図であり、図９（Ｂ）は該部材の平面図であり、図９（Ｃ）は該部材の底面図である。
【図１０】本発明に係る物品支持脚の他の例の底面図である。
【図１１】本発明に係る物品支持脚のさらに他の例の底面図である。
【図１２】従来例を示す図である。
【符号の説明】
【００３９】
Ａ  物品支持脚
１  ボルト台座
１１  頂板部
１１１  ボルト通し孔
１２  基台スカート部
１０  下端が開口した中空部
２  ボルト
２１  雄ねじ部
２２  ボルト回し具係合部位
２３  ボルト下端部
２３１  ドライバ係合溝
２４  抜け止め部材
３  ボルト上端部のボルト回し具係合部
３１  ボルト上端面の穴
３２  後付け部材
３２１  上部
３２１ｄ  ドライバ係合溝
３２２  下部
４  ボルト下端部のボルト回し具係合部
Ｗ  被支持物品
ｆｓ  ボルト螺合部位（雌ねじ部）
Ｄ  プラスドライバ
ＡＤ  プラスエアドライバ
Ｆ  物品設置床（物品支持基体の１例）
３２’後付け部材
３２１’  上部
３２１ｄ’６角レンチ係合穴
３２２’  下部
Ｂ  物品支持脚
２３１’  ６角レンチ係合穴
Ｃ  物品支持脚
２５  弾性留め輪
【図１】
2006046475.tif 000003
【図２】
2006046475.tif 000004
【図３】
2006046475.tif 000005
【図４】
2006046475.tif 000006
【図５】
2006046475.tif 000007
【図６】
2006046475.tif 000008
【図７】
2006046475.tif 000009
【図８】
2006046475.tif 000010
【図９】
2006046475.tif 000011
【図１０】
2006046475.tif 000012
【図１１】
2006046475.tif 000013
【図１２】
2006046475.tif 000014